(57)【要約】      （修正有）【課題】木質材料からなるスペーサに形成した乾燥剤を収納する収納部と、２枚のガラス板による空気層との間を短くすることにより透湿し易くして、空気層の吸湿効果を高めることができる複層ガラスを提供する。【解決手段】複層ガラス１は、２枚以上の複数枚のガラス板２の周縁部に各々スペーサ３を介在させて一定の間隔を保持し、周囲を密封して各ガラス板２間に空気層４が設けられ、この空気層４を除湿する乾燥剤５をスペーサ３に収納している。スペーサ３は木質材料によって形成され、ガラス板２の周縁部の少なくとも１辺のスペーサ３には、乾燥剤５を収納する収納部３ａが形成されるとともに、収納部３ａと空気層４との間には肉薄な透湿壁３ｂが形成され、収納部３ａは封止剤６によって封止する。【選択図】図１
2014040361.tif 000002
【特許請求の範囲】
【請求項１】
２枚以上の複数枚のガラス板の周縁部にスペーサを介在させて一定の間隔を保持し、周囲を密封して前記ガラス板間に空気層が設けられ、この空気層を除湿する乾燥剤を前記スペーサに収納した複層ガラスであって、
スペーサは、木質材料によって形成され、
前記ガラス板の周縁部の少なくとも１辺のスペーサには、乾燥剤を収納する収納部が形成されるとともに、この収納部と前記空気層との間には肉薄な透湿壁が形成され、
前記収納部を封止材によって封止したことを特徴とする複層ガラス。
【請求項２】
前記収納部は、前記スペーサの１辺に所定間隔を隔てて複数個が形成され、前記収納部の間に強度保持部を形成した請求項１に記載の複層ガラス。
【請求項３】
前記スペーサには、前記空気層側とその反対側に連通する透孔が形成され、この透孔の前記空気層側を肉薄なテープにより封止して収納部を形成した請求項１に記載の複層ガラス。
【請求項４】
前記スペーサには、複数枚の前記ガラス板と直行する方向に穿設された透孔により収納部を形成し、この収納部の前記空気層側に肉薄な透湿壁を形成した請求項１に記載の複層ガラス。
【請求項５】
前記スペーサには、前記ガラス板と平行に形成した孔部により収納郎を形成し、この収納部の前記空気層側に肉薄な透湿壁を形成した請求項１に記載の複層ガラス。
【発明の詳細な説明】
【技術分野】
【０００１】  本発明は、複数枚のガラス板の周縁部にスペーサを介在させて形成されている複層ガラスに関し、より詳細には、スペーサに乾燥剤を収納させた複層ガラスに関する。
【背景技術】
【０００２】  複数枚のガラス板を一定の間隔を設けて組み合わせ、４辺の周囲を密閉して形成される複層ガラスは、断熱性や遮音性に優れ、また室内外の温度差によるガラス表面の結露防止にも役立つことから、住宅等の建物において多用されるとともに、省エネルギーの観点からも利用分野が拡大してきている。【０００３】  従来一般の複層ガラスは、２枚以上の複数枚ガラス板を、その相互間に空気層を形成するためにスペーサを配設して隔置し、このスペーサと各ガラス板との間にシール材を充填して密閉して構成されている。また、２枚のガラス板による空気層を乾燥状態に保つために、スペーサ内に乾燥剤が収納されており、この乾燥剤と空気層とを接触させるために、スペーサには多数の通気孔が形成されている。【０００４】  例えば、特許文献１には、２枚のガラス板の外周に、通気孔が形成された断面矩形のスペーサを介装し、このスペーサ内部に直接、乾燥剤を充填してガラス板間を気密状態とした複層ガラスについて記載されている。このスペーサは、ガラス繊維強化ポリカーボネート樹脂の押出形材により形成されるとともに、そのコーナー部が斜めに切断して突き合わせ溶着されている。また、スペーサと各ガラス板との間およびスペーサの外周にはシール材が充填されている。【０００５】  また、特許文献２にも同様に複層ガラスについて記載されており、薄いガラス板と、この薄いガラス板より強度が高くかつ厚いガラス板とを、一定の間隔で平行に配設し、ガラス板間の空気層に乾燥した空気を封じ込め、ガラス板の周囲には、乾燥剤が直接充填されたスペーサとシール材によって密閉されたものとなっている。【０００６】  このような複層ガラスは、上記特許文献１や特許文献２に限らず、乾燥剤が金属素材やポリカーボネート樹脂素材からなるスペーサの内部に充填されている。ところが、スペーサとして、特に金属素材を用いた場合には、ヒートブリッジ現象を生ずることから、複層ガラスに求められる断熱性能を損なう問題がある。また、木製サッシに金属素材や樹脂素材からなるスペーサを用いた場合には、ガラスを透過してスペーサが露出することから、美観を損なう問題がある。【０００７】  このため、スペーサの素材として、木質材料を使用した複層ガラスも提案されている。特許文献３に記載された複層ガラスは、２枚の板ガラスを所定の間隔で保持するスペーサを、周辺部に乾燥剤を付着させた木質材料によって形成している。しかし、木質材料として多種多様な種類があるが、殆どの木質材料ではガラス板間の空気層が乾燥されず、場合によっては結露してしまう問題があった。
【先行技術文献】
【特許文献】
【０００８】
【特許文献１】特開平６−２２９１７２号公報
【特許文献２】特開２００１−２１３６４５号公報
【特許文献３】特開２０００−１０４４５８号公報
【発明の概要】
【発明が解決しようとする課題】
【０００９】  しかしながら、特許文献３に記載された複層ガラスは、木質材料によって形成せれたスペーサを使用しているものの、２枚のガラス板による空気層とは反対側のスペーサの周辺部に乾燥剤を付着させているので、空気層内の湿気が乾燥剤に到達するまでに木質材料のスペーサを浸透させる必要があり、乾燥剤まで到達しないことから、空気層の吸湿効果が得られない問題がある。【００１０】  本発明が解決しようとする課題は、木質材料からなるスペーサに形成した乾燥剤を収納する収納部と、複数枚のガラス板による空気層との間を短くすることにより透湿し易くして、空気層の吸湿効果を高めることができる複層ガラスを提供することにある。
【課題を解決するための手段】
【００１１】  そこで、本発明による複層ガラスは、２枚以上の複数枚のガラス板の周縁部にスペーサを介在させて一定の間隔を保持し、周囲を密封して前記ガラス板間に空気層が設けられ、この空気層を除湿する乾燥剤を前記スペーサに収納している。そして、前記スペーサは、木質材料によって形成され、前記ガラス板の周縁部の少なくとも１辺のスペーサには、乾燥剤を収納する収納部が形成されるとともに、この収納部と前記空気層との間には肉薄な透湿壁が形成され、前記収納部は封止材によって封止している。【００１２】  前記収納部は、前記スペーサの１辺に所定間隔を隔てて複数個が形成され、前記収納部の間に強度保持部を形成している。【００１３】  また、前記スペーサには、前記空気層側とその反対側に連通する透孔が形成され、この透孔の前記空気層側を肉薄なテープにより封止して収納部を形成している。【００１４】  さらにまた、前記スペーサには、複数枚の前記ガラス板と直行する方向に穿設された透孔により収納部を形成し、この収納部の前記空気層側に肉薄な透湿壁を形成している。【００１５】  また、前記スペーサには、前記ガラス板と平行に形成した孔部により収納部を形成し、この収納部の前記空気層側に肉薄な透湿壁を形成している。
【発明の効果】
【００１６】  本発明によれば、複数枚のガラス板の各々を一定の間隔に保持するスペーサを木質材料によって形成し、スペーサに形成した乾燥剤を収納する収納部と、各ガラス板の間に形成される空気層との間に、肉薄な透湿壁を形成したので、空気層との間隔が短くなって透湿し易くなり、その結果、空気層の吸湿効果を高めることができる。さらに、スペーサ自体が木質材料によって形成されているので、木質材料自体の吸湿効果によって空気層内を乾燥状態に保つことが可能となる。【００１７】  また、収納部は、スペーサの１辺に所定間隔を隔てて複数個を形成し、これら収納部の間に強度保持部を形成しているので、複数枚の各ガラス板に圧力が加えられた場合にも、強度保持部によって一定の間隔に保持することができる。【００１８】  スペーサには、空気層側とその反対側に連通する透孔を形成し、透孔の空気層側を肉薄なテープにより封止することにより収納部を形成すると、透孔を形成するための木工加工が容易になり、しかも、肉薄なテープによって封止することにより肉薄な透湿壁を容易に形成することが可能となる。【００１９】  スペーサには、ガラス板と平行に孔部を形成して収納部を形成し、この収納部の空気層側に肉薄な透湿壁を形成することにより、乾燥剤の収納作業が容易になるとともに、孔部の端部を封止することにより容易に収納することが可能となる。
【図面の簡単な説明】
【００２０】
【図１】本発明に関わる複層ガラスの第１の実施例を示す要部断面斜視図である。
【図２】図１に示す複層ガラスの収納部を示す断面図である。
【図３】図１に示す複層ガラスを示す断面図である。
【図４】本発明に関わる複層ガラスの第２の実施例を示す断面図である。
【図５】本発明に関わる複層ガラスの第３の実施例を示す断面図である。
【図６】本発明に関わる複層ガラスの第４の実施例を示す要部断面斜視図である。
【発明を実施するための形態】
【００２１】  ２枚以上の複数枚のガラス板の周縁部に各々スペーサを介在させて一定の間隔を保持し、周囲を密封して前記ガラス板間に空気層が設けられた複層ガラスは、空気層を除湿する乾燥剤が前記スペーサに収納されている。そして、前記スペーサは、木質材料によって形成され、前記ガラス板の周縁部の少なくとも１辺のスペーサには、乾燥剤を収納する収納部が形成されるとともに、この収納部と前記空気層との間には肉薄な透湿壁が形成され、前記収納部は封止材によって封止している。
【００２２】  以下、図面に基づいて本発明の実施例を詳細に説明する。図１は、本発明に関わる複層ガラスの第１の実施例を示している。複層ガラス１は、２枚のガラス板２、２が、その周縁部にスペーサ３を介在させて一定の間隔を保持することにより、２枚のガラス板２、２間に空気を封じ込めて密封させた空気層４が設けられている。このように、密封状態の空気層４を形成するために、スペーサ３の両側面と２枚のガラス板２、２の接合面には、接着剤や粘着剤によって接着密封している。
【００２３】  ２枚のガラス板２、２としては、クリアのフロート板ガラス、熱線吸収板ガラス、熱線反射板ガラス、線入板ガラス、網入板ガラス、型板ガラス、強化ガラス、摺りガラス、ステンドガラス、合わせガラス等のガラスから選択して使用することができる。一方、２枚のガラス板２、２の間隔は、好ましくは４ｍｍ以上、２５ｍｍ以下としている。
【００２４】  スペーサ３は、木質材料によって形成され、２枚のガラス板２、２の周縁部の形状に合わせた枠状に形成されている。通常の場合、スペーサ３は四角形の枠に形成される。このスペーサ３の素材としては、各種の木質材料が使用可能であるが、透湿性を有することが必要なことから、比較的軟質の木質材料として、バルサ材、杉、桧、松、なら、ぶな、ひば、かりんなど建材用などに使用される木質材料から選択される。この木質材料は乾燥状態に管理されたものを用いることがとくに好ましい。
【００２５】  このスペーサ３の少なくとも１辺には、図２に示すような、乾燥剤５を収納する収納部３ａが形成されている。この収納部３ａは、木工加工によってくり抜くことにより、空気層４の反対側に開口を有する凹所が形成され、空気層４側には、肉薄な透湿壁３ｂが形成されている。透湿壁３ｂは、透湿性を有する厚さであれば良く、スペーサ３の材質や強度等を考慮し、好ましくは、１ｍｍから３ｍｍとしている。このような収納部３ａは、スペーサ３の１辺に所定の間隔をあけて複数個が形成され、これら収納部３ａの間には、強度保持部３ｂが形成されている。このように、収納部３ａの間に強度保持部３ｃを形成するのは、スペーサ３としての強度を保つためであり、スペーサ３の材質や強度により、収納部３ａの長さや間隔が適宜に設定される。
【００２６】  そして、各々の収納部３ａには、乾燥剤５が収納される。乾燥剤５としては、シリカゲル、焼結シリカ、活性炭、活性アルミナ、無水硫酸カルシウム、ゼオライトなどがある。乾燥剤５の形状としては、微粉末状、顆粒状、棒状のものが用いられ、顆粒状の乾燥剤５の場合は、粒子径を０．８〜２．０ｍｍとするのが好ましい。
【００２７】  乾燥剤５は、収納部３ａの開口から所定量を投入することにより収納され、その後、開口を封止材としてのテープ６によって封止する。このテープ６としては、樹脂製、布製等のテープであって、乾燥剤５が漏出しないものであれば良いが、好ましくは、耐火性、防燃性を有する例えば耐火金属を含有するテープが良い。
【００２８】  このように、２枚のガラス板２、２の周縁部にスペーサ３を介在させた後、スペーサ３の外周には、封着剤７を塗布し、スペーサ３及び空気層４を密封する。この封着材７としては、自己粘着性を有する樹脂であり、例えば、ポリイソブチレン、ブチルゴム、ポリイソブチレン、ホットメルトブチルなどが用いられる。
【００２９】  複層ガラス１は、図３に示すように、下框８によって２枚のガラス板２、２を保持される。なお、複層ガラス１は、下框８の他、図示しない上框及び縦框によって保持することによりサッシが構成される。
【００３０】  このように構成される複層ガラス１は、ガラス板２，２間の空気層４に存在する湿気が収納部３ａに形成された肉薄な透湿壁３ｂを速やかに浸透して、乾燥剤５により吸着するので乾燥状態に保持される。このとき、肉薄な透湿壁３ｂは、空気層４と乾燥剤５との間隔が短くなって透湿し易いことから、空気層４の吸湿効果を一層高められる。さらに、スペーサ３自体を木質材料によって形成することにより、木質材料自体に吸湿効果を有することから、空気層４内を乾燥状態に保つことが可能となる。これにより、空気層４を乾燥状態に長期間保持することができる。
【００３１】  なお、上述した実施例においては、２枚のガラス板２、２を用いた複層ガラス１について説明したが、ガラス板は２枚に限らず、２枚以上の複数枚のガラス板を用いた複層ガラスの適用できることは勿論である。この場合には、前述したスペーサ３は、各ガラス板の間に介在させる。
【００３２】  図４は、本発明に関わる複層ガラスの第２の実施例を示している。前述した第１の実施例と相違する点は、乾燥剤５を収納する収納部１０を、透湿壁としての機能を有するテープ１１により封止することにより形成したことである。
【００３３】  収納部１０は、木工加工により、空気層４側とその反対側に連通する透孔が形成され、この透孔の空気層４側を肉薄なテープ１１によって封止することにより収納部１０が形成される。前述した第１の実施例に示したスペーサ３においても、木質材料によって形成されていることから、空気層４側には木目が露出している。このことから、透孔を封止するテープ１１も木目調にすることが好ましく、木材を１ｍｍから３ｍｍの厚さにスライスした木質のテープを使用することが望ましく、この木質テープによって、第１の実施例に示した透湿壁が形成される。このような木質テープを使用する場合には、スペーサ３の空気層４側の接着材を塗布して木質のテープ１１を接着固定する。なお、テープ１１としては、透湿性を有する素材であれば、樹脂性あるいは布製のテープであっても良い。
【００３４】  このようにスペーサ３に形成された収納部１０には、前述した第１の実施例と同様に、乾燥剤５が収納される。第２の実施例における複層ガラス１であっても、ガラス板２，２間の空気層４に存在する湿気が収納部３ａの肉薄な透湿壁としてのテープ１１を速やかに浸透して、乾燥剤５により吸着するので乾燥状態に保持される。さらに、肉薄なテープ１１も、空気層４と乾燥剤５との間隔が短いことから、空気層４の吸湿効果を高めることができ、空気層４を乾燥状態に長期間保持することができる。
【００３５】  図５は、本発明に関わる複層ガラスの第３の実施例を示している。前述した第１の実施例と相違する点は、乾燥剤５を収納する収納部２０を、ガラス板２，２と直行する方向に複数個が所定の間隔で形成したことである。
【００３６】  収納部２０は、木工加工により、ガラス板２，２と直行する方向に穿設された円形の透孔により形成されている。各収納部２０の間には、強度保持部２０ｂが形成されている。そして、この収納部２０の空気層４側には、肉薄な透湿壁２０ａが形成されている。この収納部２０は、スペーサ３のガラス板２，２に接する両側に連通するように透孔を形成しても良く、また、スペーサ３の一方の側面側から貫通しないように孔を穿設しても良い。その後、収納部２０は、密封状態の空気層４を形成するために、スペーサ３の両側面と２枚のガラス板２、２の接合面が接着される。そのとき、収納部２０に乾燥剤５を収納した後、収納部２０の開口を、例えば両面粘着テープで封止し、この両面粘着テープによって２枚のガラス板２、２を粘着固定しても良い。
【００３７】  このようにスペーサ３に形成された収納部２０には、前述した第１の実施例と同様に、乾燥剤５が収納される。第３の実施例における複層ガラス１であっても、ガラス板２，２間の空気層４に存在する湿気が収納部３ａの肉薄な透湿壁２０ａを速やかに浸透して、乾燥剤５により吸着するので乾燥状態に保持されることは、第１の実施例と同様である。
【００３８】  図６は、本発明に関わる複層ガラスの第４の実施例を示している。前述した第１の実施例と相違する点は、乾燥剤５を収納する収納部２０を、ガラス板２，２と平行に形成した孔部により収納部３０を形成したことである。
【００３９】  収納部２０は、木工加工により、ガラス板２，２と平行に穿設された円形の孔部によって形成されている。そして、この収納部３０の空気層４側には、肉薄な透湿壁３０ａが形成されている。この収納部３０は、例えば木工用のドリルによって穿設するが、ドリルの長さに制限があるため、スペーサ３の１辺の全長に亘り貫通させることはできない。そこで、スペーサ３の１辺の両側から、可能な限り長尺のドリルを用いて各々穿設し、スペーサ３の両側の収納部３０を形成することが望ましい。このような収納部３０には、乾燥剤５が収納され、収納部３０の開口が各々テープ等により封止される。
【００４０】  このような第４の実施例における複層ガラス１であっても、ガラス板２，２間の空気層４に存在する湿気が、収納部３０の肉薄な透湿壁３０ａを速やかに浸透して、乾燥剤５により吸着するので乾燥状態に保持されることは、前述した第１の実施例と同様である。
【００４１】  以上、本発明を実施例に基づき具体的に説明したが、本発明は上記実施例に限定されるものではなく、その要旨を逸脱しない範囲で種々変形可能であることは言うまでもない。
前述した各実施例においては、複層ガラスとして２枚のガラス板を用いた例を説明したが、２枚以上の複数枚のガラス板を用いた複層ガラスに適用しても良い。
また、スペーサを木質材料とし、無垢の木材を例示したが、合板、パーティクルボード、集成板などを用いても良い。また、変色等を防止するため、表面に保護材を塗布しても良い。
【産業上の利用可能性】
【００４２】  本考案は、住宅・非住宅などの建築分野、自動車・車両・船舶・航空機などの輸送分野、冷凍庫・冷凍ショーケース・恒温恒湿槽などの設備機器分野に適用される。
【符号の説明】
【００４３】  １    複層ガラス
２    ガラス板
３    スペーサ
３ａ  収納部
３ｂ  透湿壁
３ｃ  強度保持部
４    空気層
５    乾燥剤
６    テープ（封止剤）
７    封着剤
【図１】
2014040361.tif 000003
【図２】
2014040361.tif 000004
【図３】
2014040361.tif 000005
【図４】
2014040361.tif 000006
【図５】
2014040361.tif 000007
【図６】
2014040361.tif 000008